(57)【要約】【課題】悪意者によって予備ロール紙が容易に持ち去られてしまうことを防止できるロール紙ホルダを提供すること。【解決手段】このロール紙ホルダＲＨは、現用ロール紙が使用される使用位置１２ａと、現用ロール紙の使用後の芯を取出可能とする取出位置１２ｂとの間で移動可能に構成される支持軸１２と、予備ロール紙を使用部へ移動可能にしながら予備ロール紙の周囲を覆うカバーと、を備え、支持軸１２の取出位置１２ｂへの移動に連動して、予備ロール紙の使用部への移動を規制する規制部材である突起部１４２を備える。【選択図】図３
2010173770.tif 000002
【特許請求の範囲】
【請求項１】
現用ロール紙が配置される使用部に、予備ロール紙が収納される収納部が隣接して設けられるロール紙ホルダであって、
前記使用部に設けられて前記現用ロール紙を支持する支持軸であって、前記現用ロール紙が使用される使用位置と、前記現用ロール紙の使用後の芯を取出可能とする取出位置との間で移動可能に構成される支持軸と、
前記収納部に設けられ、前記予備ロール紙を前記使用部へ移動可能にしながら前記予備ロール紙の周囲を覆うカバーと、を備え、
前記支持軸の前記取出位置への移動に連動して、前記予備ロール紙の前記使用部への移動を規制する規制部材を備えることを特徴とするロール紙ホルダ。
【請求項２】
前記支持軸は、所定点を中心として回動することによって前記使用位置と前記取出位置との間を移動可能なように構成されており、
前記規制部材は、前記支持軸の回動に連動して前記収納部に向けて突出する突起であることを特徴とする請求項１に記載のロール紙ホルダ。
【請求項３】
前記支持軸は、前記使用位置から上方の取出位置に向けて回動することを特徴とする請求項２に記載のロール紙ホルダ。
【請求項４】
前記使用部に隣接して配置され、前記支持軸の一端側を保持する保持部が枢支されるように構成された側板を有し、
前記突起は、前記保持部よりも下方へ突出するように構成されると共に、前記支持軸が前記使用位置にあるときに前記側板と当接するよう構成されていることを特徴とする請求項３に記載のロール紙ホルダ。
【請求項５】
前記支持軸が前記使用位置にあるときには前記突起が前記使用部に突出しないように、前記側板に前記突起を格納する凹部が設けられていることを特徴とする請求項４に記載のロール紙ホルダ。
【発明の詳細な説明】
【技術分野】
【０００１】
本発明は、現用ロール紙が配置される使用部に、予備ロール紙が収納される収納部が隣接して設けられるロール紙ホルダに関する。
【背景技術】
【０００２】
トイレットペーパといったロール紙を保持するロール紙ホルダとして、下記特許文献１に記載されているようなロール紙ホルダが提案されている。下記特許文献１に記載されているロール紙ホルダは、二つのロール紙を並列して保持し、双方のロール紙を現用ロール紙として使用可能なように保持するものである。この特許文献１に記載のロール紙ホルダに対して、一つのロール紙を現用ロール紙とし、他のロール紙を予備ロール紙として保持するロール紙ホルダが下記特許文献２に提案されている。
【０００３】
下記特許文献２に記載されているロール紙ホルダは、前向きの開口を有するロール紙ホルダの側板に心棒を前向き回動可能なように設け、この心棒にその自由端からロール紙の芯を挿通してロール紙を回転可能に支持するとともに、このロール紙ホルダ内に心棒の自由端に芯が向かうように予備ロール紙を保管するロール紙ストッカを一体的に備えたものである。
【先行技術文献】
【特許文献】
【０００４】
【特許文献１】特開平１０−１２７５２５号公報
【特許文献２】特開２００２−３４７９９８号公報
【発明の概要】
【発明が解決しようとする課題】
【０００５】
上記特許文献２に記載されているロール紙ホルダは、心棒が前向き回動可能に枢支されているため、同文献図１に記載されているように心棒に挿通されているロール紙が芯のみの状態若しくは芯が取り去られている状態では、予備ロール紙が自由に取り出せてしまう場合がある。このように予備ロール紙が自由に取り出せてしまうと、公共の場所に設置されている場合等には悪意者によって予備ロール紙が持ち去られてしまうことが想定される。
【０００６】
そこで本発明では、現用ロール紙が配置される使用部に、予備ロール紙が収納される収納部が隣接して設けられるロール紙ホルダであって、悪意者によって予備ロール紙が容易に持ち去られてしまうことを防止できるロール紙ホルダを提供することを目的とする。
【課題を解決するための手段】
【０００７】
上記課題を解決するために本発明に係るロール紙ホルダは、現用ロール紙が配置される使用部に、予備ロール紙が収納される収納部が隣接して設けられるロール紙ホルダであって、前記使用部に設けられて前記現用ロール紙を支持する支持軸であって、前記現用ロール紙が使用される使用位置と、前記現用ロール紙の使用後の芯を取出可能とする取出位置との間で移動可能に構成される支持軸と、前記収納部に設けられ、前記予備ロール紙を前記使用部へ移動可能にしながら前記予備ロール紙の周囲を覆うカバーと、を備え、前記支持軸の前記取出位置への移動に連動して、前記予備ロール紙の前記使用部への移動を規制する規制部材を備えることを特徴とする。
【０００８】
本発明に係るロール紙ホルダによれば、支持軸の取出位置への移動に連動して、規制部材が予備ロール紙の収納部から使用部への移動を規制するので、支持軸が取出位置へと移動した状態のままで予備ロール紙を使用せずに収納部から直接取り出すことが容易にできないように構成されている。従って、予備ロール紙を使用部において使用することなく取り出して持ち去ることが容易にはできないため、悪意者によって予備ロール紙が容易に持ち去られてしまうことを防止できる。
【０００９】
本願請求項２に係るロール紙ホルダは、前記支持軸が、所定点を中心として回動することによって前記使用位置と前記取出位置との間を移動可能なように構成されており、前記規制部材は、前記支持軸の回動に連動して前記収納部に向けて突出する突起であることを特徴とする。
【００１０】
この態様によれば、支持軸の回動に連動して収納部に向けて突出する突起によって、予備ロール紙を使用せずに収納部から直接取り出すことが容易にできないように構成されているので、突起という簡易な構成によって、予備ロール紙が容易に持ち去られてしまうことを防止できる。
【００１１】
本願請求項３に係るロール紙ホルダは、前記支持軸は、前記使用位置から上方の取出位置に向けて回動することを特徴とする。
【００１２】
ロール紙ホルダを使用する使用者は、現用ロール紙の切れ端を手元側や下方に必要量だけ引き出し、その引き出した分の現用ロール紙を引きちぎって使用する。本願発明の請求項３に係る態様では、支持軸を使用位置から上方の取出位置に向けて回動するように構成しているので、前述した使用者が現用ロール紙に作用させる力とは異なる方向に可動域を有することになり、通常の現用ロール紙の使用によって支持軸が使用位置から取出位置へ向けて動いてしまうことを防止できる。
【００１３】
本願請求項４に係るロール紙ホルダは、前記使用部に隣接して配置され、前記支持軸の一端側を保持する保持部が枢支されるように構成された側板を有し、前記突起は、前記保持部よりも下方へ突出するように構成されると共に、前記支持軸が前記使用位置にあるときに前記側板と当接するよう構成されていることを特徴とする。
【００１４】
ロール紙ホルダを使用する使用者は、便器に着座している状態から立ち上がる場合などに、現用ロール紙又は支持軸に手を置くことでそれらに体重をかけてしまう場合がある。本願発明の請求項４に係る態様では、支持軸を保持して側板に枢支される保持部から下方に突出するように突起を構成すると共に、支持軸が使用位置にあるときにその突起と側板とが当接するように構成している。そのような構成により、支持軸に使用者の体重がかかったような場合であっても、突起が側板に当接することで反力を発生させることができ、保持部が側板から外れてしまうような事態を回避することができる。すなわち、予備ロール紙を収納部から直接取り出しにくいように規制している突起によって、保持部が側板から外れにくく、大きな荷重に耐え得るような強固なものとすることができる。
【００１５】
本願請求項５に係るロール紙ホルダは、前記支持軸が前記使用位置にあるときには前記突起が前記使用部に突出しないように、前記側板に前記突起を格納する凹部が設けられていることを特徴とする。
【００１６】
この態様によれば、側板に突起を格納する凹部を設けることで、支持軸が使用位置にあるときに突起をその凹部に格納して使用部に突出しないように構成しているので、現用ロール紙を使用する際に突起に引っ掛かってしまうような事態の発生を抑制することができる。
【発明の効果】
【００１７】
本発明によれば、悪意者によって予備ロール紙が容易に持ち去られてしまうことを防止できるロール紙ホルダを提供することができる。
【図面の簡単な説明】
【００１８】
【図１】本願発明を実施するための形態であるロール紙ホルダを示す斜視図である。
【図２】本願発明を実施するための形態であるロール紙ホルダを示す斜視図である。
【図３】図２の領域Ａを拡大して示す図である。
【図４】本願発明を実施するための形態であるロール紙ホルダを示す正面図である。
【図５】本願発明を実施するための形態であるロール紙ホルダを示す正面図である。
【図６】本願発明を実施するための形態であるロール紙ホルダを示す正面図である。
【発明を実施するための形態】
【００１９】
以下、添付図面を参照しながら本発明の好適な実施の形態について説明する。説明の理解を容易にするため、各図面において同一の構成要素に対しては可能な限り同一の符号を付して、重複する説明は省略する。
【００２０】
本発明を実施するための形態であるロール紙ホルダについて図１を参照しながら説明する。図１は、ロール紙ホルダＲＨの外観を示す斜視図である。図１に示すロール紙ホルダＲＨは、現用ロール紙としてのロール紙ＲＰが配置される使用部１０に、予備ロール紙としてのロール紙ＲＰが収納される収納部３０が隣接して設けられている。
【００２１】
使用部１０は、側板１１と支持軸１２と紙切板１３とを備えている。側板１１は、ロール紙ホルダＲＨをトイレ等の壁面に取り付けるためのベースプレート（図１に明示しない）から略水平方向に向けて延出するように構成されている。支持軸１２は、現用ロール紙としてのロール紙ＲＰの芯ＲＣに挿入される軸であって、ロール紙ＲＰを回転自在に保持するための軸である。紙切板１３は、支持軸１２によって保持されるロール紙ＲＰの最外周部分に当接するように構成されており、使用者がロール紙ＲＰの切れ端を手元側や下方に必要量だけ引き出し、その引き出した分のロール紙ＲＰを引きちぎって使用する際にカッター代わりになる部分である。
【００２２】
収納部３０は、側面カバー３１と正面カバー３２とを備えている。側面カバー３１はベースプレート（図１に明示しない）側の辺を軸として回動可能なように構成されており、この側面カバー３１を開いて予備ロール紙としてのロール紙ＲＰを正面カバー３２内へと補充することができるように構成されている。正面カバー３２は、予備ロール紙としてのロール紙ＲＰを、その予備ロール紙としてのロール紙ＲＰの上面、前面、下面を覆うように構成されたカバーとしての役割を果たしている。また、正面カバー３２にはスリット３３が設けられており、使用者はここから手指を挿入することで、正面カバー３２内の予備ロール紙としてのロール紙ＲＰを、使用部１０へ移動可能とするように構成されている。
【００２３】
図２は、ロール紙ホルダＲＨの外観を示す斜視図であって、図１とは見通す方向を異ならせて側板１１の内側を見通せるように描いた図である。図２に示すように、側面カバー３１には錠３４が設けられており、施錠により、予備ロール紙としてのロール紙ＲＰを正面カバー３２内へと補充するときや清掃時以外などには、側面カバー３１が開かないよう構成されている。また、側板１１には、揺動板１４が枢支されており、揺動板１４には支持軸１２が立設されている。揺動板１４及び支持軸１２近傍の領域Ａを拡大して図３に示す。
【００２４】
図３に示すように、側板１１の使用部１０に向かう内面１１１には、揺動板１４が格納されるように凹部１１２が設けられている。揺動板１４は、保持部１４１と突起部１４２とによって構成されている。
【００２５】
保持部１４１は、支持軸１２の一端側を保持する部分である。保持部１４１の支持軸１２を保持しているのとは反対側の端部には、側板１１に枢支されるように軸１４１ａが設けられている。軸１４１ａは、凹部１１２の側壁に設けられた穴に挿通されており、揺動板１４は、軸１４１ａを中心として揺動自在に構成されている。このような構成によって、揺動板１４は、使用位置である１４ａの位置から取出位置である１４ｂの位置まで揺動するように構成されている。この揺動板１４の揺動に連動して、支持軸１２も、使用位置である１２ａの位置から取出位置である１２ｂの位置まで回動するように構成されている。
【００２６】
突起部１４２は、保持部１４１の支持軸１２を保持している側の端部から軸１４１ａとは反対側に向かって延出するように設けられている。従って、突起部１４２は、揺動板１４の一部分であるから、揺動板１４の揺動に伴って揺動し、収納部３０に向けて突出する突起として構成されている。
【００２７】
突起部１４２は、小幅部１４２ａと大幅部１４２ｂとによって構成されている。小幅部１４２ａは、保持部１４１と同じ幅で保持部１４１から直接延出している部分である。大幅部１４２ｂは、小幅部１４２ａの先端に設けられている部分であって、小幅部１４２ａよりも幅広に形成されている。大幅部１４２ｂの幅は、ロール紙ＲＰの芯ＲＣの内径よりも幅広に形成されており、突起部１４２が収納部３０に向けて使用部１０内に突出した際に、未使用のロール紙ＲＰが取り出され難いように構成されている。
【００２８】
尚、凹部１１２は揺動板１４の外形に沿って形成されているけれども、必ずしもこの態様に限られるものではなく、凹部１１２を単純な矩形状の凹部となして揺動板１４との間にある程度の隙間が生じても構わない。
【００２９】
続いて、図４〜図６を参照しながら、ロール紙ホルダＲＨからロール紙ＲＰを取り出す際の挙動について説明する。図４，図５，図６は、ロール紙ホルダＲＨを正面から見た図である。図４は、使用部１０にロール紙ＲＰがある場合を示し、図５及び図６は、収納部３０からロール紙ＲＰを取り出す場合を示している。
【００３０】
図４に示すように、使用部１０にロール紙ＲＰがあり、且つロール紙ＲＰの紙がまだ残存している場合、ロール紙ＲＰが正面カバー３２に引っ掛かるため支持軸１２を取出位置まで回動させることができない。従って、使用部１０にロール紙ＲＰがあって、且つロール紙ＲＰの紙がまだ残存している場合には、悪意者によってロール紙ＲＰが持ち去られ難い。尚、図には明示しないけれども、ロール紙ＲＰの紙が無くなった場合には、図４に示すように支持軸１２を取出位置まで回動させることで、芯ＲＣを取り出すことができる。
【００３１】
本実施形態のロール紙ホルダＲＨの場合、使用部１０にロール紙ＲＰが無くなった場合には、支持軸１２を取出位置から使用位置に戻し、収納部３０に収納されているロール紙ＲＰを横にスライドさせ、そのロール紙ＲＰの芯ＲＣに支持軸１２を挿入してロール紙ＲＰを使用部１０へと移動させる。一方、図５に示すように、支持軸１２から空の芯ＲＣを取出した後に、収納部３０に収納されているロール紙ＲＰを外部に取り出そうとすると、収納部３０に向けて突出している突起部１４２がロール紙ＲＰの芯ＲＣ近傍に当接し、ロール紙ＲＰを無理に取り出し難いように作用している。
【００３２】
更に、図６に示すように、収納部３０に収納されているロール紙ＲＰを使用部１０の下方から取り出そうとしても、収納部３０に向けて突出している突起部１４２がロール紙ＲＰの芯ＲＣ上方に当接し、ロール紙ＲＰを無理に取り出し難いように作用している。従って、支持軸１２の揺動に連動して収納部３０に向けて突出する突起である突起部１４２によって、予備のロール紙ＲＰを使用せずに収納部３０から直接取り出すことが容易にできないように構成することが可能となり、突起という簡易な構成によって、予備のロール紙ＲＰが容易に持ち去られてしまうことを防止できる。
【符号の説明】
【００３３】
１０：使用部
１１：側板
１２：支持軸
１３：紙切板
１４：揺動板
３０：収納部
３１：側面カバー
３２：正面カバー
３３：スリット
３４：上面カバー
１１１：内面
１１２：凹部
１４１：保持部
１４１ａ：軸
１４２：突起部
１４２ａ：小幅部
１４２ｂ：大幅部
ＲＣ：芯
ＲＨ：ロール紙ホルダ
ＲＰ：ロール紙
【図１】
2010173770.tif 000003
【図２】
2010173770.tif 000004
【図３】
2010173770.tif 000005
【図４】
2010173770.tif 000006
【図５】
2010173770.tif 000007
【図６】
2010173770.tif 000008